(57)【要約】【目的】  配置面積が小さく、外観のより建物付設の雨水タンクにした場合、強度、剛性の問題が出るのを解消した雨水タンクを提供する。【構成】  外壁に沿って扁平なタンク本体７を主柱４ａと桁４ｃ，４ｄで囲んだ中に設け、タンク本体７の側板７ｃ，７ｄ，７ｅに設けたフランジ７ｆと、主柱４ａ、桁４ｃ，４ｄにはフランジ４ｆを設ける。フランジ４ｆ，７ｆを締結する。タンク本体周囲でタンク本体が支持されるため、タンク本体が扁平であっても、変形が小さい。【選択図】          図１
2006070473.tif 000002
【特許請求の範囲】
【請求項１】
建物の屋根に降った雨水を貯留する雨水タンクにおいて、
ａ．外壁に沿う躯体の外部側において、躯体の夫々の見込み方向において地上に立設した１階軒下又は２階軒下付近まである主柱と、地上近く１階軒下付近または１階高付近及び２階軒下付近において、主柱間を連結する各桁と、主柱と各桁に夫々設けられたタンク取付部と、を有する枠体と、枠体と建物の躯体を連結する連結部とを有するタンク支持部材と、
ｂ．主柱及び上下で対向する桁間に囲まれてタンク支持部材に近接して配設されたほぼ中空直方体で外壁に接近して平行な後面板と後面板に平行し軒先内に位置する前面板と後面板及び前面板の縁を囲繞して結んでいる側板と、側板の全周にわたり設けられ前記タンク取付部と連結するタンク側取付部とを有するタンク本体と、
ｃ．雨水のタンク本体への流入手段と、
ｄ．雨水をタンク本体から取り出す取出手段と、
を有し、タンク本体が外壁面に沿って扁平でタンク本体の側板側を取り囲むタンク支持部材によって、タンク本体の側板側全周にわたって支持されていることを特徴とする雨水タンク。
【請求項２】
タンク支持部材は鋼材製、タンク本体はＦＲＰ製であることを特徴とする請求項１に記載の雨水タンク。
【請求項３】
建物の屋根に降った雨水を貯留する雨水タンクにおいて、
ａ．外壁に沿って配設され、外壁面に平行で扁平な直方体の中空タンクを間をおいて上下に連設する二つのタンク本体と、
ｂ．二つのタンク本体の両側に沿って地上から立設された主柱を有し、二つのタンク本体を支持する支持部材と、
ｃ．雨水のタンク本体への流入手段と、
ｄ．雨水をタンク本体から取り出す取出手段と、
を有し、タンク本体が上下に連設され、建物よりの出っ張りが小さく且つ貯水量を確保したことを特徴とする雨水タンク。
【請求項４】
タンク本体の前面と側面との間に隙間を設けて化粧カバーでタンク本体を蔽ったことを特徴とする請求項１から３の何れか１つに記載の雨水タンク。
【請求項５】
建物の屋根に降った雨水を貯留する雨水タンクにおいて、
上方に配設された上方のタンク本体と、
上方のタンク本体の下方に配設された密閉されているタンク本体と、
上方のタンク本体への雨水の流入手段と、
上方のタンク本体の上部に設けた流出口と下方のタンク本体を連通させるオーバーフロー管と、
上方のタンク本体の下部に設けた流出口と下方のタンク本体の流出口とを結ぶ流出管と
下方のタンク本体からは雨水を流出させ得るが下方のタンク本体へ向っては雨水を流入させない向きに流出管に介装した逆止弁と、
上方のタンク本体の下部に設けた流出口と逆止弁との間の流出管から分岐した需要先へ向かう配管と、
を有し、上方のタンク本体中の雨水を優先して流出することにより雨水の水頭が有効に利用されることを特徴とする雨水タンク。
【請求項６】
請求項１から６の何れか１つに記載の雨水タンクを有し、雨水の流入手段は雨樋とタンク本体をろ過装置を介して連結するものであり、雨水の取出手段は雨水タンクに吸込口側が配管され吐出側が散水器に連結されたポンプであって、散水器が建物の屋根に設けられ、雨水をポンプで散水器に送水して散水器で雨水を屋根上に散布し、屋根上に散布した雨水を雨樋にて回収して雨水の流入手段でタンク本体に還流させることを特徴とする散水装置。
【請求項７】
散水器が棟に沿って設けられていることを特徴とする請求項６に記載の散水装置。
【発明の詳細な説明】
【技術分野】
【０００１】
この発明は、建物の屋根に降った雨水を貯めて、雨水の利用を計る雨水タンク及びこの雨水タンクを用いた建物に関する。
【背景技術】
【０００２】
従来、屋根に降った雨水を雨水タンクに集めて雨水の利用を計ることが行われている。
【０００３】
従来の雨水タンクは円筒形であって、建物外の地上の基礎の上に直接置いてアンカーボルトで固定されたものが多用されている。この雨水タンクとしては塩化ビニール、ステンレス等の腐食に強い材料が用いられている。このような雨水タンクは一般にタンクに加わる水圧を考慮して高さを制限している。高さを高くする場合ステンレス鋼製のものを用いている。
【０００４】
円筒形タンクで高さの低い場合は直径を大きくしてタンク容量を確保している。高さの高い場合は上部が軒先近くまであるものの水頭に耐えるため及び自体の強度のためステンレス製となっている。
【０００５】
雨水の利用は特に少雨地帯を除くと飲用とかに用いることなく、水洗便所用、浴用、洗濯用の雑用水として用いられる。
【特許文献１】特開２００２−５４１８８
【特許文献２】特開２００１−２７９７２８
【発明の開示】
【発明が解決しようとする課題】
【０００６】
解決しようとする課題は美観を生ずるように建物沿って納まり良く設ける場合にタンク本体の支持が困難になると共にタンク自体の形状からくる変形を防止できる構造を有する雨水タンクを提供することを目的とする。
【０００７】
この発明は屋根に降った雨水の水頭を有効利用できる雨水タンクを提供することを他の目的とする。
【０００８】
この発明の他の目的は雨水を冷却媒体として用いることのできる、特に夏期の家屋の昇温を抑制できる散水装置を提供することを目的とする。
【課題を解決するための手段】
【０００９】
本出願に係る第１の発明は建物の屋根に降った雨水を貯留する雨水タンクにおいて、
ａ．外壁に沿う躯体の外部側において、躯体の夫々の見込み方向において地上に立設した１階軒下又は２階軒下付近まである主柱と、地上近く１階軒下付近または１階高付近及び２階軒下付近において、主柱間を連結する各桁と、主柱と各桁に夫々設けられたタンク取付部と、を有する枠体と、枠体と建物の躯体を連結する連結部とを有するタンク支持部材と、
ｂ．主柱及び上下で対向する桁間に囲まれてタンク支持部材に近接して配設されたほぼ中空直方体で外壁に接近して平行な後面板と後面板に平行し軒先内に位置する前面板と後面板及び前面板の縁を囲繞して結んでいる側板と、側板の全周にわたり設けられ前記タンク取付部と連結するタンク側取付部とを有するタンク本体と、
ｃ．雨水のタンク本体への流入手段と、
ｄ．雨水をタンク本体から取り出す取出手段と、
を有し、タンク本体が外壁面に沿って扁平でタンク本体の側板側を取り囲むタンク支持部材によって、タンク本体の側板側全周にわたって支持されていることを特徴とする雨水タンクである。
【００１０】
本出願に係る第２の発明はタンク支持部材は鋼材製、タンク本体はＦＲＰ製であることを特徴とする第１の発明に記載の雨水タンクである。
【００１１】
本出願に係る第３の発明は建物の屋根に降った雨水を貯留する雨水タンクにおいて、
ａ．外壁に沿って配設され、外壁面に平行で扁平な直方体の中空タンクを間をおいて上下に連設する二つのタンク本体と、
ｂ．二つのタンク本体の両側に沿って地上から立設された主柱を有し、二つのタンク本体を支持する支持部材と、
ｃ．雨水のタンク本体への流入手段と、
ｄ．雨水をタンク本体から取り出す取出手段と、
を有し、タンク本体が上下に連設され、建物よりの出っ張りが小さく且つ貯水量を確保したことを特徴とする雨水タンクである。
【００１２】
本出願に係る第４の発明はタンク本体の前面と側面との間に隙間を設けて化粧カバーでタンク本体を蔽ったことを特徴とする第１から第３の何れか１つの発明に記載の雨水タンクである。
【００１３】
本出願に係る第５の発明は建物の屋根に降った雨水を貯留する雨水タンクにおいて、上方に配設された上方のタンク本体と、上方のタンク本体の下方に配設された密閉されているタンク本体と、上方のタンク本体への雨水の流入手段と、上方のタンク本体の上部に設けた流出口と下方のタンク本体を連通させるオーバーフロー管と、上方のタンク本体の下部に設けた流出口と下方のタンク本体の流出口とを結ぶ流出管と下方のタンク本体からは雨水を流出させ得るが下方のタンク本体へ向っては雨水を流入させない向きに流出管に介装した逆止弁と、上方のタンク本体の下部に設けた流出口と逆止弁との間の流出管から分岐した需要先へ向かう配管と、を有し、上方のタンク本体中の雨水を優先して流出することにより雨水の水頭が有効に利用されることを特徴とする雨水タンクである。
【００１４】
本出願に係る第６の発明は第１から第５の何れか１つの発明に記載の雨水タンクを有し、雨水の流入手段は雨樋とタンク本体をろ過装置を介して連結するものであり、雨水の取出手段は雨水タンクに吸込口側が配管され吐出側が散水器に連結されたポンプであって、散水器が建物の屋根に設けられ、雨水をポンプで散水器に送水して散水器で雨水を屋根上に散布し、屋根上に散布した雨水を雨樋にて回収して雨水の流入手段でタンク本体に還流させることを特徴とする散水装置である。
【００１５】
本出願に係る第７の発明は散水器が棟に沿って設けられていることを特徴とする第６の発明に記載の散水装置である。
【発明の効果】
【００１６】
この発明の雨水タンクによれば、主柱と上下で対向する桁に囲まれてタンク支持部材に近接してタンク本体が配設され、タンクの側板側の全周にわたり、タンク支持部材のタンク取付部とタンク側取付部を連結したために、外壁に沿い扁平で高さが高く強度、剛性をとり難いタンク本体に大きな負荷を与えることなく支持できる。そのためタンク本体の変形を抑制できる。
【００１７】
タンク本体が扁平で見込方向から見た幅が隣接する柱の間に納まる大きさで竪長となるため建物に対する納まりがよい。
【００１８】
即ち、タンク本体の竪長による設置面積の減少と、外壁に沿って配設したことにより、建物の外壁から外方への出っ張りが少ない。それでありながら、建物の１階高分の高さがあるタンク本体のため貯留する雨量が実用上充分とできる。
【００１９】
この発明の第５の発明によれば上方に上方のタンク本体、上方のタンク本体の下方に下方のタンク本体を配設し、上方のタンク本体のオーバーフローをオーバーフロー管で下方のタンク本体に連結した上、上方のタンク本体の流出口と下方のタンク本体の流出口を結ぶ流出管に下方のタンク本体から雨水を流出させ得るが下方のタンク本体へ向って雨水を流入させない逆止弁を介装したので、上方のタンク本体の雨水が優先使用され水頭を有効に利用できる。
【００２０】
この発明の散水装置によれば、夏期晴天時に貯留して雨水を散水するため、蒸発熱で効率よく屋根を冷すことができる。この消費は蒸発によるものであるから大きなものではなく、夜間散水しないときは雨水タンクで冷却される。雨水タンクが容積に比して表面積が大きいので放熱が大きい。従って、翌日の屋根の冷却に備えることができる。
【発明を実施するための最良の形態】
【００２１】
本出願に係る雨水タンクは、図４を参照して、建物１の屋根２に降った雨水を貯留する雨水タンク３（１階設置３ａ、２階設置３ｂ）において、
ａ．外壁１ｂに沿う隣接する柱１ａの外部側において、柱１ａ（図２参照）の夫々の見込み方向において地上に立設した１階軒下又は２階軒下付近まである主柱４ａと、地上近く１階軒下付近または１階高付近及び２階軒下付近において、主柱４ａ間を連結する各桁、即ち下桁４ｃ、中桁４ｄ、上桁４ｅ（４ｅは図示されない）と、主柱４ａと各桁４ｃ，４ｄ，４ｅに夫々設けられたタンク取付部４ｆと、を有する枠体４と、枠体４と建物１の躯体である柱１ａを連結する連結部５とを有するタンク支持部材６と、
ｂ．主柱４ａ及び上下で対向する桁４ｃと４ｄまたは４ｄと４ｅ間に囲まれてタンク支持部材６に近接して配設されたほぼ中空直方体で外壁１ｂに接近して平行な後面板７ａと、後面板７ａに平行し軒先内に位置する前面板７ｂと、後面板７ａ及び前面板７ｂの縁を囲繞して結んでいる側板７ｃ，７ｄ，７ｅと、側板７ｃ，７ｄ，７ｅの全周にわたり設けられ前記タンク取付部４ｆと連結するタンク側取付部７ｆとを有するタンク本体７と、
ｃ．雨水のタンク本体７への流入手段８と、
ｄ．雨水をタンク本体から取り出す取出手段９と、
を有し、タンク本体７が外壁１ｂ面に沿って扁平でタンク本体７の側板７ｃ，７ｄ，７ｅ側を取り囲むタンク支持部材６によって、タンク本体７の側板側全周にわたって支持されている。
【００２２】
上記において、タンク支持部材６は鋼材製、タンク本体７はＦＲＰ製である。
【００２３】
上述の雨水タンクを有し、雨水の流入手段８は雨樋２ｂとタンク本体７をろ過装置１５を介して連結するものであり、雨水の取出手段９はタンク本体７に吸込口側が配管され吐出側が散水器１４に連結されたポンプ１３であって、散水器１４が建物の屋根２に設けられ、雨水をポンプ１３で散水器１４に送水して散水器１４で雨水を屋根２上に散布し、屋根２上に散布した雨水を雨樋２ｂにて回収して雨水の流入手段８でタンク本体７に還流させる散水装置である。
【００２４】
上記散水装置において、散水器１４が棟に沿って設けられている。
【実施例】
【００２５】
以下、この発明の実施例を図面を用いて説明する。図１は雨水タンクの正面図、図２は図１の右側面図、図３は図１の平面図である。図４は建物の斜視図である。
【００２６】
（集水構成及び流入手段）
図４に示す建物１の屋根２に降った雨水は屋根２を流下して軒樋２ｂ１に集められる。軒樋２ｂ１に流下した雨水はあんこう２ｂ２、呼びとい２ｂ３、呼びとい２ｂ３に介装したろ過装置１５を通じてタンク本体７へ流入するようになっている。
【００２７】
上記、軒樋２ｂ１、あんこう２ｂ２、呼びとい２ｂ３でもって構成される雨樋２ｂ及びろ過装置１５でもって雨水の流入手段８をなしている。
【００２８】
（雨水タンク）
タンク本体７は図１から図３に示すようにほぼ中空直方体である。その構成は外壁１ｂに接近して平行な後面板７ａと、後面板７ａに平行する前面板７ｂと後面板７ａと前面板７ｂの縁を囲繞して結んでいる側板７ｃ,７ｄ,７ｅと側板７ｃ,７ｄ,７ｅの全周にわたり断続または連続して設けられたタンク側取付部７ｆとを有する。
【００２９】
タンク本体７はＦＲＰ又はステンレス鋼板製が選択できる。図１から図３はＦＲＰ製の場合を示す。図１に示すようにタンク本体７は本例では５分割された分割片７−１から７−５の夫々の開口の縁全周に設けた外フランジ７ｇを互に当接して接着、溶着等により密封して固定してある。分割片７−１は天側板７ｅ、分割片７−５は地側板７ｄでもって夫々容器状である。分割片７−２から７−４は夫々が上下に貫通して開口しており筒状である。分割片７−１から７−５の開口の縁には外フランジ７ｇを夫々備えている。この外フランジ７ｇを設ける各分割片７−１から７−５の縁は肉厚を厚くして補強されている。
【００３０】
各分割片７−１から７−５を通じて外部から見て上下方向の条溝状、内部から見て上下方向の突条となったリブ７ｈが設けてある（図５参照）。上記フランジ７ｇ、リブ７ｈ等でもってタンク本体７の補強、補剛を計っている。
【００３１】
タンク本体７の天側板７ｅには雨水の流入口７ｉが設けてある。流入口７ｉには呼びとい２ｂ３が挿入されている。呼びとい２ｂ３の先端はタンク本体７内の上部に設けてあり、タンク本体７内に流入する雨水を曝気するようにしてある。
【００３２】
また、タンク本体７の天側板７ｅには水道配管１６を挿入する挿入口７ｊが設けてある。この水道配管１６には電磁弁１７が介装されている。
【００３３】
タンク本体７には図示されないが水位検出手段が設けられ、タンク本体７内の下限水位を水位検出手段が検出すると水位検出手段は図示されない制御装置に下限水位信号を送る。下限水位信号を受けると制御装置は図示されないドライバを介して電磁弁１７を開弁し、電磁弁１７の開弁により水道管１６からタンク本体７に給水される。この給水によりタンク本体７内の水位が上昇し水位検出手段が上限水位を検出すると水位検出手段から制御装置に上限水位信号を送る。上限水位信号を受けると制御装置はドライバを介して電磁弁を閉弁する。ここで上限水位は次に述べるオーバーフロー水位よりも下方にある。
【００３４】
なお、先にのべた１階高のみにタンク本体７を設ける場合はオーバーフロー水位よりも上方に外気と連通する開口が必要である。即ち、図１の場合は呼びとい２ｂ３とその流入口７ｉの間に隙間を設けるとか、水道配管１６とその挿入口７ｊとの間に隙間を設けるとかするのがよい。ただし、流入手段８が閉塞して気密になってしまうおそれがないときは流入手段８を通じてタンク本体７へ空気が供給されるのでタンク本体７を密封槽とできる。
【００３５】
タンク本体７の側板７ｃの上部にはオーバーフロー穴７ｋが設けてある。オーバーフロー穴７ｋと地上近くまで側板７ｃに沿って上下方向のオーバーフロー管１８が配管されている。雨水の流入によりタンク本体７内の水位がオーバーフロー水位となるオーバーフロー穴７ｋに達するとそれ以上の雨水はオーバーフロー穴７ｋとおり、オーバーフロー管１８を通って放流される。
【００３６】
タンク本体７の地側板７ｄには排水口７ｍが設けてある。排水口７ｍに一端が連結された吸込管１３ｂの他端はポンプ１３の吸込口に連結されている。吸込管１３ｂはタンク本体７内で地側板７ｄよりも上方へ突出している。即ち、タンク本体７の底の沈殿物の流出を防止している。吸込口１３ｂには制止弁１３ｃが介装されている。
【００３７】
また、タンク本体７の地側板７ｄには掃除口７ｎが設けてある。この掃除口７ｎにはごみ集め機能を持つ栓１９が設けてある。この栓１９は中空容器状で上部がタンク本体７の内に向って開口している。この開口している上部からタンク本体７の底面に堆積しようとする沈殿物を収集する。ここで沈殿物というのはろ過装置１５を通過した雨水中の微細粉のことである。
【００３８】
なお、上記水道管１６の上流側にはこの雨水タンク３への給水を制御する図示されない止水栓が設けられている。この止水栓を閉弁することにより、雨水タンク３は雨水専用となる。
【００３９】
(タンク支持部材)
雨水タンク３はタンク本体と支持部材で構成されている。複数の雨水タンク３ａ，３ｂは共通の支持部材で支持されている。
【００４０】
次にタンク本体７の支持についてのべる。図１から図３に示すように地上ＧＬに設けた基礎２１上には主柱４ａが立設してある。この主柱４ａはタンク本体７が１つのみの場合は高さが建物１の１階高程度である。また、主柱４ａの高さはタンク本体７が２つの場合は建物の２階高である。従って、建物の屋根から軒が出ている場合は軒付近まで主柱４ａがある。主柱４ａの建物１の外壁１ｂから見込方向の位置は側板７ｃの前後方向の中心位置にある。主柱４ａを側板７ｃの前後方向の中心位置に設けることにより、主柱４ａには見込方向面内にモーメントが加わらない。従って、主柱４ａは格別に強度を必要とせず、雨水を満水としたタンク本体７ａによる座屈に耐えればよい。
【００４１】
主柱４ａは建物１の躯体、例えば外壁１ｂに沿う隣接する柱１ａの外部側において柱１ａの見込方向にあり、主柱４ａは２本である。地上近く、１階高付近(平屋建の場合は軒下付近)には主柱４ａ間を桁４ｃ，４ｄで連結してある。建物１が２階建の場合であってタンク本体７を上下に連設する場合は図示されないが上方のタンク本体(符号７Ａとする)の天側板７ｅに沿って桁４ｅを設け、桁４ｅの両端を上にのびる主柱４ａに連結する。主柱４ａと桁４ｃ，４ｄ，４ｅとの連結部は溶接又は連結部材による。
【００４２】
主柱４ａと上下に対向する桁４ｃと４ｄ及び４ｄと４ｅで囲まれた内側にあるタンク本体７，７Ａと主柱４ａ、桁４ｃ，４ｄ，４ｅとを連結するために、主柱４ａと対向する桁４ｃと４ｄ及び４ｄと４ｅで囲まれた内周側にはタンク側取付部７ｆと結合されるタンク取付部４ｆが設けられている。
【００４３】
タンク本体７，７Ａが樹脂製の場合におけるタンク側取付部７ｆとタンク取付部４ｆは図１のＡ−Ａ拡大断面図の図６に詳細が示されている。タンク側取付部７ｆはタンク本体７の側板７ｃ，７ｄ，７ｅに沿って埋め込まれたベース板７ｆ１とベース板７ｆ１からタンク本体７の外方へ向って立設したフランジ７ｆ２からなっている。支持部材４側のタンク取付部４ｆは主柱４ａ、桁４ｃ，４ｄ，４ｅの部材長手方向に沿って設けられたフランジ４ｆ１である。フランジ７ｆ２とフランジ４ｆ１は重ねられてこれらを挿通するボルトナット２２により固定されている。
【００４４】
このように、タンク本体７は側板７ｃ，７ｄ，７ｅの見込方向の面の２等分位置にタンク側取付部７ｆが設けられているためタンク本体７が外壁１ｂに沿って扁平であって自体決して強度、剛性を大きくできないにもかかわらず、タンク本体７は側板全周で支持されているためにタンク本体７の変形を抑制できる。
【００４５】
図２、図３に示すように主柱４ａは夫々桁４ｃ，４ｄ，４ｅと交叉する位置で連結部５でもって柱１ａに連結される。ただし、連結部５は建物１の躯体に連結されればよいので、梁、桁等に固定してもよい。連結部５と主柱４ａとは溶接して結合されている。連結部５と柱１ａとの結合は連結部５に設けたフランジ５ａを挿通するねじを柱１ａにねじ込み固定する。主柱４ａがタンク本体７の見込方向の丁度直中を支持しているため、通常は連結部５に荷重が加わることがない。地震等において生ずる加速度の方向大きさがタンク本体７と躯体とで相違する場合連結部５及び連結部５と柱１ａとの連結部分の強度を考慮すればよい。
【００４６】
上記においてタンク支持部材４を構成する主柱４ａ、桁４ｃ，４ｄ，４ｅ、連結部５は夫々が鋼材である。この鋼材としては耐食性よりしてステンレス鋼が望ましい。
【００４７】
（雨水取出手段）
タンク本体７に貯留された雨水の取出手段９について説明する。この取出手段９は雨水の需要側の利用目的によっては、単に需要先まで配管すればよい。雨水の需要先としては例えば１階設置の風呂、洗濯機、水洗便所等である。
【００４８】
本例ではポンプ１３を用いて需要先へ雨水を圧送している。ポンプ１３は例えば末端圧一定制御される井戸ポンプである。このような場合はポンプ１３の吐出口に連結される吐出配管１３ｄは風呂、洗濯機には給水栓を介して配管され、水洗便所ではボールタップ付の水槽に連結される。また、庭の散水、洗車に雨水を用いる場合は、野外の給水栓に吐出配管１３ｄを配管する。
【００４９】
（化粧カバー）
上記において、支持部材４及びタンク本体７，７Ａを蔽う化粧カバー２３が設けられている。図３に示すように化粧カバー２３は水平断面がコ字状で前側板７ｂに沿うウエブである前面部材２３ａの両側を折り曲げたフランジ部２３ｂを主柱４ａの外側面に接するように配設する。そして、図示されないが化粧カバー２３を挿通するねじ部材を主柱４ａにねじ込んで化粧カバー２３は支持部材４に固定されている。化粧カバー２３の前面部材２３ａとタンク本体７の平板の前面板７ｂ間には隙間がある。この隙間は当然外フランジ７ｇの縁と前面部材２３ａが離れている大きさである。化粧カバー２３の高さは図４に示すように、１階高及び２階高に設置したタンク本体７，７Ａを夫々覆うように設ける。即ち、化粧カバー２３は上下に連設されている。
【００５０】
化粧カバー２３は耐火性ある部材、例えば鉄板が望ましく、耐食性の点から鉄板にアクリル樹脂塗装をしたものを用いる。
【００５１】
化粧カバー２３があるため、図４に示すようにタンク本体７及びタンク支持部材４が外部側から見えなくなり、ただの三平面を有する化粧カバー２３が見えるだけで外観が特にすっきりして美観を向上できる。そして、タンク本体７が日照の長い場所にあったとしても、タンク本体７は日光を受けることがなく、タンク本体７内の雨水の昇温を抑制できる。
【００５２】
（上方のタンク本体を有する場合の配管）
図１では１階高（地上近くから２階床面付近または１階軒下付近までの高さをいう）の場合におけるタンク本体７回りの配管が示されている。２階高（地上近くから２階軒下付近までの高さをいう）まで地上から一平面の壁面がある場合においてタンク本体７，７Ａを連設した場合の配管についてのべる。上方のタンク本体７Ａは下方のタンク本体７の直上にくる。
【００５３】
図８は上下にタンク本体を配列した場合の配管図の１例である。図８において流入手段８は図１の場合と同様で流入手段８から雨水タンク３への雨水の流入は上方のタンク本体７Ａへの流入に限る。即ち、下方のタンク本体７には呼びとい２ｂ３はつながれておらない。呼びとい２ｂ３はタンク本体７Ａの天側板７ｅの流入口７ｉに挿入されている。そして、タンク本体７Ａに設けたオーバーフロー管１８ａは上方のタンク本体７Ａの上部のオ−バーフロー水位にその上端が位置してタンク本体７Ａ内に上方の流出口７ｐで連通し、このオーバーフロー管１８ａの下端は下方のタンク本体７の天側板７ｅの流入口７ｑに連結されている。
【００５４】
上方のタンク本体７Ａとオーバーフロー管１８ａとの連結部である上方の流出口７ｐよりも上方、即ち、オーバーフロー水位よりも上方においてタンク本体７Ａに設けた第２オーバーフロー管１８ｂへの溢流口７ｒがある。第２オーバーフロー管１８ｂは一端が溢流口７ｒに連結され、他端は地上に近くで開口している。流入口７ｑにおいてはオーバーフロー管１８ａとタンク本体７が密封されている。即ち、下方のタンク本体７は密閉槽である。
【００５５】
取出手段９は下方のタンク本体７とポンプ１３の吸込口が逆止弁１３ｇを介して吸込管１３ｂで連結された上、更に上方のタンク本体７Ａの地側板７ｄに設けた下方の流出口７ｓとポンプ１３の吸込口を連通する吸込管１３ｆが設けてある。吸込管１３ｂ，１３ｆは流出管である。この流出管はポンプを用いないで需要先への配管に連結してもよい。吸込管１３ｂには逆止弁１３ｇが介装してある。この逆止弁１３ｇの向きは下方のタンク本体７からは吸込管１３ｂ（流出管）をとおって雨水を流出させ得るが、タンク本体７へ吸込管１３ｂ（流出管）をとおって雨水を流し得ない向きである。
【００５６】
水道配管１６は挿入口７ｊを挿通してタンク本体７Ａに挿入されている。呼びとい２ｂ３と流入口７ｉ間、水道配管１６と挿入口７ｊ間は少なくとも何れかには隙間がある。ただし、既に述べたように、流入手段８が閉塞して気密となってしまうおそれがない場合は上方のタンク本体７Ａを密閉槽とできる。
【００５７】
図８の雨水タンクの作用を述べる。ろ過装置１５を介して呼びとい２ｂ３から上方のタンク本体７Ａに流入した雨水はタンク本体７Ａに貯留される。タンク本体７Ａへの雨水の流入によりタンク本体７Ａ内の雨水の水位は上昇する。この水位がオーバーフロー水位になると上方の流出口７ｐからオーバーフロー管１８ａを通じて雨水は下方のタンク本体７内へ流入する。タンク本体７内に流入した雨水はタンク本体７に貯留される。タンク本体７への雨水の流入によりタンク本体７内の雨水の水位は上昇する。そして、タンク本体７が満水となると続いてオーバーフロー管１８ａも満水となる。そして、上方のタンク本体７Ａ内の水位は雨水の流入により更に上昇するので、タンク本体７Ａから上記オーバーフロー管１８ａへの上方の流出口７ｐよりも更に上方に設けた溢流口７ｒから第２オーバーフロー管１８ｂを通じて放流される。
【００５８】
吸込管１３ｂに逆止弁１３ｇを介装してあるので、タンク本体７Ａの雨水が吸込管１３ｆ，１３ｂを通じてタンク本体７へ流れることはなく、必ず上方のタンク本体７Ａが満水にならないと下方のタンク本体７への雨水の流入が始まらない。
【００５９】
上方のタンク本体７Ａ、下方のタンク本体７が満水の際に雨水の取出手段９の作用を見ると次の如くである。ポンプ１３が作用すると、ポンプ１３の吸込口に生ずる負圧により上方のタンク本体７Ａの雨水は吸込管１３ｆを通じて吸込まれようとし、下方のタンク本体７の雨水は逆止弁１３ｇを介装した吸込管１３ｂを通じて吸込まれようとする。上方のタンク本体７Ａと下方のタンク本体７の夫々の雨水には水頭差があるから、この水頭差と吸込系統の配管抵抗差に従って夫々のタンク本体７，７Ａから雨水がポンプ１３に吸込まれる。しかし、この水頭差は吸込管１３ｆと逆止弁１３ｇを介装した吸込管１３ｂとの配管抵抗差より著しく大きいので上方のタンク本体７Ａの水位がかなり下降するまでは上方のタンク本体７Ａ内の雨水が吸込管１３ｆを通じてポンプ１３に吸込まれる。
【００６０】
上方のタンク本体７Ａ内の雨水が空又は空に近づいた状態になった後は、下方のタンク本体７から逆止弁１３ｇを介装した吸込管１３ｂを通じてポンプ１３に吸込まれる。
【００６１】
この実施例の利点は屋根に降った雨水を先ず、上方のタンク本体７Ａに貯留するので、雨水の水頭が有効に使用されることである。
【００６２】
即ち、雨量の少ない季節では上方のタンク本体７Ａのみにしか雨水が貯められない場合でも、タンク本体７Ａ中の雨水は水頭が大きい。上方のタンク本体７Ａからオーバーフローして下方のタンク本体７中に雨水が入って下方のタンク本体７にも雨水が満水又はそれにより少なく貯められたとした場合にも、上方のタンク本体７Ａ中の雨水を優先して流出することにより雨水の水頭が有効に利用される。
【００６３】
それ故、平均してポンプ負荷が小さい。そして、ポンプを用いないで、直接、水洗トイレ、風呂、洗濯機へ雨水を流入させる場合においても給水速度が早いことである。そして、上方のタンク本体をメインタンクとし下方のタンク本体をサブタンクとして用いていることになる。
【００６４】
図９の実施例は上方のタンク本体７Ａの底である地側板７ｄと、下方のタンク本体７の天側板７ｅを配管２５で結んで上方のタンク本体７Ａと下方のタンク本体７を連通させてある。オーバーフロー管１８ｂは上方のタンク本体７Ａにのみ設ける。この実施の形態によれば、タンク本体７，７Ａを一体化したのと同作用となる。即ち、呼びとい２ｂ３から流入口７ｉを通じて流入する雨水は上方のタンク本体７Ａに一旦入るが、配管２５を通じて下方のタンク本体７へ入り、下方のタンク本体７の水位が上昇して満水となった後は上方のタンク本体７Ａの貯水が始まる。タンク本体７，７Ａがあたかも一つの水槽のようになっているため、水の使用にあたり、ポンプ１３の吸込口には全水頭が加わるため、上方のタンク本体７Ａに雨水がある間はポンプ負荷は小さくてすむ。
【００６５】
なお、タンク本体７，７Ａ夫々に呼びとい２ｂ３から雨水を流入させるようにし、タンク本体７，７Ａ夫々からポンプ１３で雨水を取り出してもよい。この場合軒樋２ｂ１で集水された雨水を分配して夫々の呼びとい２ｂ３へ分流させる。
【００６６】
（散水装置）
建物は夏期において特に外壁及び屋根が太陽光を受て著しく加熱される。特に屋根は日照のある限りほぼ一日中太陽光に対して曝露されているので、太陽光から受ける加熱の程度が大きい。従って屋根の昇温は著しい。このため、室内への熱の伝達により、室温を上昇させる。そして、屋根回りは熱容量が大きいので夜間になっても室内が高温に保たれてしまう。
【００６７】
この発明の他の目的は上述のように設置面積が極めて小さく、且つ、設置場所が建物の外壁から外方へ向って出っ張ることのない雨水タンクと併せて建物への納まりのよい散水装置を提供することにある。
【００６８】
図４に示すように建物１の屋根２の棟に沿って散水器１４が設けられている。散水器１４を棟に沿って設けることにより建物１の美観に殆ど影響を与えない。
【００６９】
ポンプ１３の吐出配管１３ｄは図４に示すように建物１の外壁１ｂ沿って立設され、軒下から軒先２ｃを屋根２へ回り込み屋根２の斜面上をノルマルに沿って上方へ配管され、棟に配設された散水器１４の長手方向の中央部に連結されている。この吐出配管１３ｄは耐候性のある材料で作られた例えばステンレス製が望ましい。
【００７０】
散水器１４は図７に示すように棟２ｄ上に棟２ｄに沿って配設されて止金１４ａで断面ヘ字状の棟２ｄの縁に係止される。ここで、屋根２が鉄板平ぶき、平板スレート、カラーベスト(商品名)等は同様に断面への字状の棟２ｄを用いるが、瓦ぶきの場合には、少なくともむねがわらを用いないで、のしがわらの上から、上述した棟２ｄをかぶせる。そして、棟２ｄの長手方向の両縁をのしがわらの下縁に曲げ込んで止めるのがよい。
【００７１】
散水器１４は長手方向の中央部で吐出配管１３ｄと連通している。散水器１４は例えば、ステンレス製、合成樹脂例えば塩化ビニール製のパイプである。散水器１４の両端はキャップ又は栓により閉塞されている。
【００７２】
散水器１４の母線に沿って多数の小穴１４ｂがあいている。この母線は１本又は２本であり、屋根２に平均して水が流下するように小穴１４ｂの大きさ、数、配列が決められる。
【００７３】
図４において、ポンプ１３が駆動されると、雨水タンク３の水がポンプ１３に吸込まれ、吐出配管１３ｄを通じて散水器１４に送られる。散水器１４へ圧送された雨水は屋根２上を流下する。屋根２を流下する際太陽光で加熱され昇温している屋根２を冷却する。この冷却は雨水との熱交換及び雨水の蒸発熱による。かくして、屋根２において加熱された雨水は屋根２から軒樋２ｂ１、あんこう２ｂ２、ろ過装置１５を介装した呼びとい２ｂ３から雨水タンク３に流入する。雨水タンク３に流入した雨水は再びポンプ１３で吸込まれるまで滞留する。タンク本体７，７Ａが容積に比して表面積が大きいため、放熱が効率よく行われる。特にタンク本体７，７Ａの後側板７ａと外壁１ｂ、前側板７ｂと化粧カバー２３の前面部材２３ａ、側板７ｃと化粧カバー２３のフランジ部２３ｂ、夫々間に隙間があり、この隙間を通じて上昇する空気の対流が生ずるため，タンク本体７，７Ａは効率よく冷却され、タンク本体７，７Ａ内の雨水の温度を下げることができる。
【００７４】
（流入手段の他の実施例）
図１０は流入手段の他の実施例である。
【００７５】
この実施例は雨水の流入手段と雨水が過剰となった場合のオーバーフロー管を兼ねる実施例である。タンク本体７又は７Ａから外部へ溢流させて放流するためのオーバーフロー管１８，１８ｂは設けない。
【００７６】
図１におけるろ過装置１５の流入側に呼びとい２ｂ４を連結する。
【００７７】
あんこう２ｂ２の下端に竪樋２ｂ５の上端を取り付ける。竪樋２ｂ５の下端にはダイバーゼント管２ｂ６の上端の竪樋２ｂ５と同直径の小径部が続く。ダイバーゼント管２ｂ６の上端よりも拡径されている下端にはオーバーフロー室２ｂ７の上端が続く。オーバーフロー室２ｂ７は本例では容器状例えば、水平断面が円形の容器状で底２ｂ８を有する。底２ｂ８を貫通して竪方向にオーバーフロー管１８ｃが設けてある。オーバーフロー管２ｂ８はオーバーフロー室２ｂ７中に上端１８ｃ１が開口している。
【００７８】
呼びとい２ｂ４はオーバーフロー室２ｂ７の周壁に連結されており、オーバーフロー室２ｂ７内と連通している。
【００７９】
図１０に示すようにオーバーフロー管１８ｃの上端１８ｃ１と、中空円筒形の呼びとい２ｂ４の内周面の最上位との間には高さｈの差があり、呼びとい２ｂ４の内周面の最上位はオーバーフロー管１８ｃの上端よりも高い位置にある。この高さｈは、呼びとい２ｂ３の直径に比して著しく小さい。本例においては既にのべた呼びとい２ｂ３とタンク本体７（タンク本体が１つの場合以下、同じ）、タンク本体７Ａ（タンク本体７と７Ａが上下に連設の場合以下、同じ）と呼びとい２ｂ３の連結部分は密封されている。即ち、この場合呼びとい２ｂ３が連結されるタンク本体７又は７Ａは密閉タンクである。
【００８０】
上記において竪樋２ｂ５、ダイバーゼント管２ｂ６、オーバーフロー室２ｂ７、オーバーフロー管１８ｃでもってタンク本体７又は７Ａへの集水口をなしている。これらの部材は合成樹脂でモールド、接着等で一体的に構成されている。
【００８１】
次に作用を説明する。雨水があんこう２ｂ２から竪樋２ｂ５を通じてダイバーゼント管２ｂ６に入ると流速の作用でダイバーゼント管２ｂ６の周壁に沿う作用が生ずる。なお、この作用が生じ難い場合はオーバーフロー管１８ｃの上端１８ｃ１から上方に離してオーバーフロー管１８ｃの直径よりやや大きい外径の傘状の部材を設ける。傘状の部材はオーバーフロー管１８ｃの上端１８ｃ１から立設した複数本の脚で支える（上記は図示されない）。
【００８２】
ダイバーゼント管２ｂ６を流下した雨水はオーバーフロー室２ｂ７のオーバーフロー管１８ｃ回りに落ちる。そしてオーバーフロー室２ｂ７からから呼びとい２ｂ４に流れてろ過装置１５でろ過され呼びとい２ｂ３を通じてタンク本体７又は７Ａに流入する。
【００８３】
上記タンク本体７又は７Ａが満水となると、呼びとい２ｂ４を通じての雨水のタンク本体７又は７Ａへの流入はとまる。そこで、あんこう２ｂ２、竪樋２ｂ５、ダイバーゼント管２ｂ６を通じてオーバーフロー室２ｂ７へ流入する雨水のオーバーフロー室２ｂ７における水位は上昇する。雨水水位がオーバーフロー管１８ｃの上端１８ｃ１を越えると雨水はオーバーフロー管１８を通じて放流される。
【００８４】
尚、降水量がきわめて多い場合は、タンク本体７又は７Ａが満水でなくても、タンク本体７又は７Ａへ雨水が流入し乍も、呼びとい２ｂ４からタンク本体７，７Ａまでの配管系の許容水量を越える雨水のオーバーフロー室２ｂ７への流入により、呼びとい２ｂ４を通じてタンク本体７又は７Ａへの流量以上の流量の雨水はオーバーフロー管１８ｃを通じて一部が放流される。
【産業上の利用可能性】
【００８５】
実施例より、建物付設の雨水タンクとして有効である。散水装置は夏期の家屋の昇温抑制に寄与できる。
【図面の簡単な説明】
【００８６】
【図１】雨水タンクの正面図である。
【図２】図１の右側面図である。
【図３】図１の平面図である。
【図４】散水装置を示す斜視図である。
【図５】リブの形状を示す水平断面図である。
【図６】図１のＡ−Ａ拡大断面図である。
【図７】散水装置の斜視図である。
【図８】タンク本体が２槽の場合の配管図である。
【図９】タンク本体が２槽の場合の配管図である。
【図１０】オーバーフロー管を組み込んだ流入手段の他の実施例の縦断面図である。
【符号の説明】
【００８７】
１…建物  １ａ…柱  １ｂ…外壁
２…屋根  ２ｂ…雨樋  ２ｂ１…軒樋  ２ｂ２…あんこう  ２ｂ３…呼びとい  ２ｃ…軒先  ２ｄ…棟
３，３ａ，３ｂ…雨水タンク
４…枠体  ４ａ…主柱  ４ｃ…下桁  ４ｄ…中桁  ４ｅ…上桁  ４ｆ…タンク取付部  ４ｆ１…フランジ
５…連結部  ５ａ…フランジ
６…タンク支持部材
７，７Ａ…タンク本体  ７ａ…後面板  ７ｂ…前面板  ７ｃ…側板  ７ｄ…地側板  ７ｅ…天側板  ７ｆ…タンク側取付部  ７ｆ１…ベース板  ７ｆ２…フランジ  ７ｇ…外フランジ  ７ｈ…リブ  ７ｉ…流入口  ７ｊ…挿入口  ７ｋ…オーバーフロー穴  ７ｍ…排水口  ７ｎ…掃除口  ７ｑ…流入口  ７ｓ，７ｐ…流出口  ７ｒ…溢流口
８…流入手段
９…取出手段
１３…ポンプ  １３ｂ…吸込管  １３ｃ…制止弁  １３ｄ…吐出配管  １３ｆ…吸込管  １３ｇ…逆止弁
１４…散水器  １４ａ…止金  １４ｂ…小穴
１５…ろ過装置
１６…水道配管
１７…電磁弁
１８…オーバーフロー管  １８ａ…オーバーフロー管  １８ｂ…第２オーバーフロー管
１９…栓
２１…基礎
２２…ボルトナット
２３…化粧カバー  ２３ａ…前面部材  ２３ｂ…フランジ部
２５…配管
【図１】
2006070473.tif 000003
【図２】
2006070473.tif 000004
【図３】
2006070473.tif 000005
【図４】
2006070473.tif 000006
【図５】
2006070473.tif 000007
【図６】
2006070473.tif 000008
【図７】
2006070473.tif 000009
【図８】
2006070473.tif 000010
【図９】
2006070473.tif 000011
【図１０】
2006070473.tif 000012